(57)【要約】      （修正有）【課題】立ち姿のまま掃き集めたゴミを本体部内に掃き込み可能なちり取りを提供する。【解決手段】かまぼこ形の本体部１に持ち歩きやすくするための把手部３を備えたちり取りに、把手部の高さ方向の中間位置でこれらを構成する各把手部材に固着してなる閉ループ状の保持部材９を備える。上記の構成を採用することにより、保持部材９に買い物袋などを結わえ付けることにより、空き缶又はペットボトルなどの空容器を分別回収可能となる。また、本体部の背板部１ｃには、弓状の握り部１１を設け、上端部の掴み部５とこの握り部１１とを各手で掴んで本体部１を開口端部が下になるように持ち上げればゴミの排出が容易となる。【選択図】図２
0003144425.tif 000002
【実用新案登録請求の範囲】
【請求項１】
底板部と、上記底板部の後端部を立ち上げてなる実質的に半円状の背板部と、各端部を上記底板部の両側部に固着しかつ略半円状に形成してあるとともに上記背板部の外周部に固着してなり、開口部が斜めにカットしてある覆い部とからなる本体部と、各下端部を上記覆い部の両側及び上記背板部に固着し、各上端部をほぼ水平状態で互いに連結してなる複数の把手部材とからなる把手部を備えたちり取りにおいて、
上記把手部の高さ方向の中間位置に上記各把手部材に固着してなる閉ループ状の保持部材が設けてある
ことを特徴とするちり取り。
【請求項２】
底板部と、上記底板部の後端部を立ち上げてなる実質的に半円状の背板部と、各端部を上記底板の両側部に固着しかつ実質的に半円状に形成してあるとともに上記背板部の外周部に結合してなる覆い部とからなる本体部と、各下端部を上記両側部及び上記背板部に固着し、各上端部をほぼ水平状態で互いに連結してなる複数の把手部材とからなる把手部を備えたちり取りにおいて、
上記背板部には、該背板部に握り部を設けてある
ことを特徴とするちり取り。
【請求項３】
底板部と、該底板の後端部を立ち上げてなる背板部と、上記底板部の
両側部を立ち上げてなる１対の側板部からなるちり取り本体部と、各下端部を上記両側部及び上記背板部に固着し、各上端部をほぼ水平状態で互いに連結してなる複数の把手部材とからなる把手部を備えたちり取りにおいて、
上記把手部の高さ方向の中間位置に上記各把手部材に固着してなる閉ループ状の保持部材を設けてある
ことを特徴とするちり取り。
【請求項４】
請求項１又は請求項３において、上記背板部には握り部が設けてあることを特徴とするちり取り。
【考案の詳細な説明】
【技術分野】
【０００１】
本考案は、ちり取り、特に本体部に複数の把手部材を設けて立ち姿のままゴミなどを掃き込み可能なちり取りに関するものである。
【背景技術】
【０００２】
ちり取りには、目的・用途により各種のものがあるが、比較的大型のものとして、図６に示すような、前方に斜めにカットしてなる開口部を有するかまぼこ形の本体部６１に、３本の把手部材６３ａ，６３ｂ，６３ｃを取り付け、上端部で各端部を結合し、握りやすくするための掴み部６５を設けてなるいわゆる鉄道ちり取りが古くから広く使われている。このちり取りは立ったままの状態でゴミを箒で本体部６１のゴミ収納部に掃き込むことができ、さらに覆い部６１ｂにより掃き集めたものが風などにより吹き飛ばされない利点がある。これと似たちり取りとして、両側部と背板部で三方を囲まれたゴミ収納部の上方を全面開放にしたガーデンちり取りがある。ガーデンちり取りも立姿のまま少し腰をかがめた状態でゴミをゴミ収納部に掃き込むことができる点において鉄道ちり取りと同様の機能を有するものであるが覆い部がない点において異なる。
【０００３】
ちり取りの改良に関する最近の提案例としては次のものがある。第１例は、上部に柄を有するちり取りの後方部を開口し、この開口した部分にゴミ袋を取り付け、及び取り外しを自在としたものがある（特許文献１）。これによりゴミを直接ゴミ袋に掃き集めることが可能となるので便利になるとするものである。第２例として、従来の上部開放型のちり取りに対して開口面を覆うカバーを取り付けるようにしたものがある。簡便かつ安価に上方を閉じることにより掃き込んだゴミを風で吹き飛ばされることが内容にしてある構成のちり取りとしたものである（特許文献２）。
【０００４】
【特許文献１】登録実用新案第３０４０４５３号
【特許文献２】登録実用新案第３０８８８０２号
【考案の開示】
【考案が解決しようとする課題】
【０００５】
上述した鉄道ちり取りやガーデンちり取りは、清掃作業者が立ったままの状態でゴミを本体部内に掃き込むことができる点に特徴がある。しかし、現在の清掃には空き缶やペットボトル等の空容器類の回収も必要となるが、これらを本体部内に掃き込んだのでは、後に分別の必要に迫られる問題がある。また、把手部の存在により保管時の収納容積が大きくなることから、この上に何か重量物を載せてしまうようなこともあり得る。重量物の載置により把手部材が変形し、外観を損なう形状になり、あるいは使用しにくくなるようなことも生じ得る。さらにまた、掃き取ったゴミを棄てるために開口部を下向きにする際に、背板部に取り付けてある把手部材を掴んで持ち上げる必要があるが、その操作がやりにくい難点がある。
【０００６】
また、上述の背景技術の欄に記載した第１例のちり取りは、把手が２本となっているため、安定性及び強度に不安があり、かつゴミが貯まる度にゴミ袋を交換する必要があるため、経済上及び資源節約上の問題がある。また、第２例では、カバーの取り付けにより鉄道ちり取りと同様の機能を有するようにしたものであるが、構成が複雑化する点においてコスト高になる懸念がある。また、把手が３本着いている点において鉄道ちり取りと同様の安定性が得られるとしても、把手の強度性に疑問がある。本考案は、鉄道ちり取りの利点に、さらに用途の拡大及び把手部の強度の向上を図ることを課題とするものである。
【課題を解決するための手段】
【０００７】
上記の課題を解決するために本考案のちり取りは、以下の手段を採用することにより以下の作用効果を奏するようにした。請求項１に記載した考案は、底板部と、この底板部の後端部を立ち上げてなる実質的に半円状の背板部と、各端部を上記の底板部の両側部に固着しかつ実質的に半円状に形成してあるとともに上記の背板部の外周部に固着してなり、開口部が斜めにカットしてある覆い部とからなる本体部と、各下端部を上記の覆い部の両側及び上記の背板部に固着し、各上端部をほぼ水平状態で互いに連結してなる複数の把手部材とからなる把手部を備えたちり取りにおいて、上記した把手部の高さ方向の中間位置に各把手部材に固着してなる閉ループ状の保持部材が設けてあるところに特徴がある。
【０００８】
上記の構成を採用したちり取りで、保持部材に買い物袋などを結わえ付ければ、空き缶又はペットボトルなどの空容器を回収して収納可能となる。これにより分別回を収可能とし、いわゆるエコちり取りとしての機能を備えることになる。また、タオルやハンドスコップなども吊り下げ可能となるので汗拭きや地面に貼り付いたガムを剥がすなど場合に応じて利用することにより便利になる。さらにまた、保持部材の存在により、把手部の上端部に何らかの原因により垂直荷重等が作用しても把手部材の変形を妨げることができるので、補強材としての役割を果たすことが可能となる。
【０００９】
請求項２に記載した考案に記載したちり取りは、請求項１に記載したものと基本構成を同じくするものであるが、本体部を構成する背板部には、この背板部に握り部を設けてあるところに特徴がある。この握り部は、本体内部に掃き集めたゴミをゴミ箱に捨てる際に一方の手で把手部の上端部を掴み、他方の手でこの握り部を掴んで持ち上げることにより、底板部を垂直にすることが容易となるので、本体部内に収納してあるゴミを排出容易となる。また、不使用時における運搬の際に持ちやすくなる利点もある。
【００１０】
請求項３に記載した考案に係るちり取りは、底板部と、この底板の両側部を立ち上げてなる１対の側板部とからなる本体部と、下端部を上記の各側部及び背板部に固着した把手部材の上端部をほぼ水平状態で互いに連結してなる把手部からなるちり取りにおいて、上記の把手部の高さ方向の中間位置に、上記の各把手部材に固着してなる閉ループ状の保持部材を設けてあることを特徴とする。このちり取りは、いわゆるガーデンちり取りと呼ばれているものであるが、本体部と３本の把手部材によって構成される把手部からなる点において、上記の鉄道ちり取りと構成において共通性を有する。しかし、上部開口になっている点においてそれとは異なるものである。この考案に係るちり取りも把手部の中間位置に保持部材を設けてあることにより鉄道ちり取りと同様の作用効果を奏する。
【００１１】
請求項４に記載した考案に係るちり取りは、請求項１又は請求項３に記載した考案に係るちり取りにおいて、上記した背板部に、この背板部に固着してある把手部材の下端部を変形してなる握り部を設けてあることを特徴とする。これは請求項１と請求項２とを結合したもの又は請求項２と請求項３とを結合したものであり、これら両者の作用効果を兼ね備えたものとなる。
【考案の効果】
【００１２】
本考案は、ちり取りの本体部を吊り下げる把手部の中間位置にループ状の保持部材を設けることにより、プラスチック製の使用済み買い物袋等をこれに結わえ付けると、空き缶やペットボトル等の空容器を通常のゴミ類と分別して回収容易となるので、資源回収にも寄与可能となる。また、タオルなども保持部材に掛けることができるので、汗拭きや手を洗う際に便利となる。さらにまた、この保持部材を設けることにより、把手部材の補強材として作用する効果がある。背板部に握り部を設ければ、掃き集めたゴミを排出する際などに、この握り部を掴んで本体部の開口端を下にすることが容易となるので、収容されたゴミを排出する際に便利になる。保持部材と握り部とを併設すれば、さらに便利なちり取りとして使用可能となる効果がある。
【考案を実施するための最良の形態】
【００１３】
本考案は、いわゆる鉄道ちり取りに適用したものと、いわゆるガーデンちり取りに適用したものとがあり、それぞれに保持部材を設けたもの及び握り部を設けたものさらには上記の両者を設けたものとがある。ここでは鉄道ちり取りについて詳しく説明し、同様の構成のガーデンちり取りについて簡単に言及することとする。
【００１４】
図１は、本考案に係るちり取りを斜め前方から見た状態を示し、図２は、同じく斜め後方から見た状態を示している。図１，図２に示すように、このちり取りは、従来技術で説明した鉄道ちり取りと基本的構成を同じくするものである。ちり取りの本体部１は、平板状の底板１ａの後端部を立ち上げて実質的に半円状に形成してなる背板部１ｃとなし、底板部１ａの一方の側部から他方の側部に渡りかまぼこ状の覆い部１ｂが設けてある。背板部１ｃの外周部は覆い部１ｂの下面に固着していることにより前方開口のゴミ収納部となっている。覆い部１ｂの前方側は斜めにカットされ、箒でゴミを掃き込む際に箒を底板部１ａ上に載せることができるようになっている。覆い部１ｂの両側部及び背板部１ｃの各所定位置には、把手部３を構成する把手部材３ａ，３ｂ，３ｃの各下端部がそれぞれ鋲止めにより固着してある。各把手部材３ａ、３ｂ、３ｃは上端部でほぼ水平に折り曲げられて互いに固着してあり、固着した部分を掴みやすくするためのカバーを被せてなる掴み部５となっている。背板部１ｃに固着してある把手部材３ｃの上端部近傍の後部側には鋏保持具７が設けてある。
【００１５】
把手部３の高さ方向の上端部に近い中間位置には、把手部材３ａ，…と同じ厚さ及び幅の平板部材からなる保持部材９が設けてある。保持部材９は実質的にループ状をなし、外周面が各把手部材３ａ，３ｂ，３ｃの内側に接しており、鋲止めによりそれぞれの個所で固着してある。これにより把手部の上方から垂直荷重が作用したとしても、保持部材９の剛性により各把手部材の変形を防止可能となる。保持部材９として、厚み又は幅の大きいもの等曲げに対する抵抗の大きいものを採用すれば、変形に対する抵抗をさらに大きくすることが可能となる。
【００１６】
図２に示すように、本体部１の背後に固着してある把手部材３ｃは後方へ弓状に張り出してなる握り部１１が形成してある。握り部１１は上方及び下方をそれぞれ鋲止めすることにより、背板部１ｃに固着してある。この握り部１１は本体部１内に掃き集めて収容したゴミを棄てる際に、一方の手で上端部の掴み部５を握り、他方の手でこの握り部１１を掴んで本体部を逆さにして開口部が下向きになるように持ち上げれば、容易に落下可能となる。
【００１７】
図３は、このちり取りを清掃担当者Ｐが使用中の状態を示している。この図においては、保持部材９にタオルＴが掛けてあるが、その他プラスチックの買い物袋等をこれに結わえ付けておくと、これらの袋に空き缶やペットボトルなどを分別して収納可能となる。空き容器類は分別して資源ゴミとして回収することが行われていることが多いことに鑑み、エコバッグとしての機能を備えるようにしたものである。
【００１８】
図４は、握り部の他の例を断面図で示したものである。この握り部１２は、本体部１の背板部１ｃに把手部材３ｃと一体の湾曲部１２ａとその表側に貼り合わせてなる補強部材１２ｂとからなり、この補強部材の上端部近傍で背板部１ｃに鋲止めしてある。上述した弓状のものよりも製造工数は多くなるが、握りやすくなる利点がある。
【００１９】
次に他の形態例として、本考案をいわゆるガーデンちり取りに適用したものについて説明する。このちり取りは、本体部２１は、底板部２１ａの両側及び後端部を立ち上げてなる各側部２１ｂ，２１ｂ及び背板部２１ｃとからなる。これに３本の把手部材２３ａ，２３ｂ，２３ｃの下端部を取り付け各把手部材の上端部を互いにほぼ水平状態で連結固着することにより把手部２３を構成している。この把手部２３の中間位置の上部寄りには、保持部材２９が取り付けてある。保持部材２９は実質的にループ状をなし、各把手部材の外側を取り巻くように取り付け、各把手部材に鋲止めにより固着してある。なお、保持部材２９の取り付けは各把手部材の内側であってもよい。保持部材２９の機能や用途は上記の鉄道ちり取りの場合と同様である。図５には現れていないが、背板部２１ｃの裏側には実施例１と同様の握り部を設けたものもある。
【００２０】
このほか３本以上の把手部材を有するちり取りで、鉄道ちり取りの把手部に匹敵する高さを有するものについては保持部材を設けることにより、上述したものと同様の作用効果を得ることが可能である。保持部材の各把手部材への固着手段は上述の鋲止めの他、溶接や接着剤による接合などであってもよい。
【図面の簡単な説明】
【００２１】
【図１】一形態例のちり取りを斜め前方から見た状態を示す斜視図である。
【図２】同斜め後方から見た状態を示す斜視図である。
【図３】ちり取りを使用している一状態を示す斜視図である。
【図４】握り部の他の例を示す断面図である。
【図５】他の形態例のちり取りを斜め前方から見た状態を示す斜視図である。
【図６】従来例を示す斜視図である。
【符号の説明】
【００２２】
１，２１                本体部
１ａ，２１ａ            底板部
１ｂ                    覆い部
１ｃ，２１ｃ            背板部
２１ｂ                  側板部
３，２３                把手部
３ａ，３ｂ，３ｃ        把手部材
２３ａ，２３ｂ，２３ｃ  把手部材
９，２９                保持部材
１１，１２              握り部
【図１】
0003144425.tif 000003
【図２】
0003144425.tif 000004
【図３】
0003144425.tif 000005
【図４】
0003144425.tif 000006
【図５】
0003144425.tif 000007
【図６】
0003144425.tif 000008